(57)【特許請求の範囲】
【請求項１】
埋め込まれた磁気コアと、記録媒体側表面の、該磁気コアを取り巻く領域に形成された磁気コイルとからなる磁気ヘッドを有する光透過性基板と、
前記磁気ヘッドの、記録媒体側を向いた正面との間に所定間隔を隔てた該正面に対向する位置に、光を入射する入射口を有し、その入射口から入射した光を集光して、記録媒体側先端に形成された出射開口から記録媒体に向けて近接場光を出射する、記録媒体側先端に向かって先鋭化された尖頭型導光体と、
記録媒体側表面が前記入射口に接するとともに該記録媒体側表面に対する裏面が前記光透過性基板表面に接して広がり、該光透過性基板表面との接触領域に入射光導入用回折格子を有し、前記光透過性基板背面からの入射光を前記入射光導入用回折格子を介して前記入射口に向けて集光し前記光出射用回折格子を介して前記尖頭型導光体に向けて出射する導光層とを備えたことを特徴とする記録ヘッド。
【請求項２】
磁気コア埋込部が形成された光透過性基板表面に入射光導入用回折格子と磁気コイル埋込用の溝とを形成する工程と、
前記磁気コア埋込部に磁気コアを埋め込む工程と、
前記溝に磁気コイルを形成する工程と、
前記磁気コイルが形成された後の前記光透過性基板表面に、該光透過性基板背面からの入射光を導入して、該磁気コイル正面に対向する集光位置に集光する導光層を形成する工程と、
前記導光層表面の、前記磁気コイル正面に対向する集光位置に、該導光層によって集められた光を該導光層から出射するための回折格子を形成する工程と、
前記導光層によって前記集光位置に集められた光を導入してさらに集光して近接場光を出射する、先端が尖鋭化された尖頭型導光体を形成する工程とを備えたことを特徴とする記録ヘッド製作方法。
【請求項３】
光源と、前記光源と記録媒体との間の光路に配置される記録ヘッドとを備え、光による記録媒体上の発熱と磁界による磁力との双方の作用により該記録媒体に情報を記録する情報記録装置において、
前記記録ヘッドが、
埋め込まれた磁気コアと、記録媒体側表面の、該磁気コアを取り巻く領域に形成された磁気コイルとからなる磁気ヘッドを有する光透過性基板と、
前記磁気ヘッドの、記録媒体側を向いた正面との間に所定間隔を隔てた該正面に対向する位置に、光を入射する入射口を有し、その入射口から入射した光を集光して、記録媒体側先端に形成された出射開口から記録媒体に向けて近接場光を出射する、記録媒体側先端に向かって先鋭化された尖頭型導光体と、
記録媒体側表面が前記入射口に接するとともに該記録媒体側表面に対する裏面が前記光透過性基板表面に接して広がり、該光透過性基板表面との接触領域に入射光導入用回折格子を有し、前記光透過性基板背面からの入射光を前記入射光導入用回折格子を介して前記入射口に向けて集光し前記光出射用回折格子を介して前記尖頭型導光体に向けて出射する導光層とを備えたことを特徴とする情報記録装置。
【発明の詳細な説明】
技術分野
本発明は、光と磁気との双方の作用により記録媒体に情報を記録する光磁気記録方式の情報記録装置、その情報記録装置に採用される記録ヘッド、およびその記録ヘッドの製作方法に関する。
背景技術
近年、光磁気記録方式の記録媒体や情報記録装置が広く普及してきており、この光磁気記録方式においても、他の情報記録方式と同様、一層の高密度記録が要求されている。
この要求を満たすべく、光を変調する光変調方式以外に、磁界を変調する磁界変調方式が注目されている。
図１５は、光変調方式と磁界変調方式とを併用した光磁気記録方式の従来の一例を示す模式図である。
ここに示す記録媒体１０は、光透過性の基板１１の表面に情報が記録される記録層１２が形成され、さらにその表面に記録層を保護するための透明の保護層１３が形成されている。
ここで、記録層１２に近接した位置（例えば保護層１３の表面との間のギャップ長が２〜４μｍ程度）に磁気ヘッド２０が配置される。保護層１３の厚みは約５〜１０μｍ程度であるため、その磁気ヘッド２０は記録層１２に対し１０μｍ〜１００μｍ前後の位置に配置されることになる。
この磁気ヘッド２０の磁気コイル２１には、図示のような変調信号Ｓが入力され変調磁界が形成される。
磁界変調を行なうには、上記のように、磁気ヘッド２０を記録層１２に対し１０μｍ程度と極めて近接した位置に配置する必要があるため、その記録層１２にレーザ光３０を導く対物レンズ３１は基板１１側に配置され、レーザ光３０は、記録層１２を、基板１１側から照射することになる。ここに示す例では、記録媒体１０に情報を記録するにあたりレーザ光３０も変調される。これは、レーザパルス発光磁界変調記録と呼ばれ、さらにトラック密度を向上できる。このようにして、磁気ヘッド２０により発生した磁界と、レーザ光３０の照射による発熱との双方の作用により記録層１２に情報の記録が行なわれる。
ここで、記録媒体への記録の高密度化を図るためには、対物レンズ３１を高ＮＡ化し、記録層１２に極めて小さい光スポットを形成する必要がある。
図１６は、記録媒体上に極めて小さい光スポットを形成する技術の一例を示す模式図である。
ここには、対物レンズとして、図１５に示す対物レンズ３１と同様な集光レンズ３２と、ソリッドイマージョンレンズ（Ｓｏｌｉｄ  Ｉｍｍｅｒｓｉｏｎ  Ｌｅｎｓ；ＳＩＬ）と呼ばれる、例えば半球状のレンズ３３が配置されている。ＳＩＬ３３を使用し、そのＳＩＬ３３からそのＳＩＬ３３の極く近傍に洩れ出してくるレーザ光３０ａを記録媒体１０への記録用の光として使用することにより、ある程度の高ＮＡ化が実現でき、光スポットのみから考えればある水準の高密度記録を達成することができるように思われる。
しかしながら、このＳＩＬ３３は、焦点深度が数μｍから１００ｎｍ以下と短く、したがってこの図１５に示す方式を磁界変調方式に適用しようとすると、このＳＩＬ３３を含む対物レンズと磁気コイルを記録媒体の同一面側に配置する必要があり、このためには、磁気コイル３４をＳＩＬ３３の下底面３３ａに配置する必要がある。したがってレーザ光３０が通過できるよう空芯化する必要があり、高速変調で必要な強さの磁界を得るのが難しいという問題がある。
発明の開示
本発明は、上記事情に鑑み、光と磁界との双方の作用により高密度記録の実現が図られた情報記録装置、そのような情報記録装置に好適に採用される記録ヘッド、および記録ヘッドの製作方法を提供することを目的とするものである。
上記目的を達成する本発明の記録ヘッドは、光源と記録媒体との間の光路に配置される記録ヘッドにおいて、前記記録媒体に向けて磁界を発生する磁気ヘッドと、前記磁気ヘッドの下流側の光路に配置され、前記磁気ヘッドの上流側から導かれた光ビームを集光して前記記録媒体に出射する導光体とを備えたことを特徴とする。
ここで、上記本発明の記録ヘッドにおいて、前記導光体は、
前記磁気ヘッドの下流側の光路に配置され、前記磁気ヘッドの上流側から導かれた光ビームが入射する導光層と、
前記導光体の下流側の光路に配置され、記録媒体側先端の開口に向かって尖鋭化されてなり、前記導光層から導かれた光ビームを集光して前記開口を介して前記記録媒体に出射する尖頭型導光体を備えてなるものであることが好ましい。
この場合に、前記導光層は、前記光ビームの入射面に前記光ビームを導入するための回折格子を有するものであることが好ましい。
また、本発明の記録ヘッドは、
埋め込まれた磁気コアと、記録媒体側表面の、磁気コアを取り巻く領域に形成された磁気コイルとからなる磁気ヘッドを有する光透過性基板と、
上記磁気ヘッドの、記録媒体側を向いた正面との間に所定間隔を隔てたその正面に対向する位置に、光を入射する入射口を有し、その入射口から入射した光を集光して、記録媒体側先端に形成された出射開口から記録媒体に向けて出射する、記録媒体側先端に向かって先鋭化された尖頭型導光体と、
記録媒体側表面が上記入射口に接するとともに記録媒体側表面に対す
る裏面が上記光透過性基板表面に接して広がり、その光透過性基板表面との接触領域に入射光導入用回折格子を有するとともに上記入射口との接触領域に光出射用回折格子を有し、光透過性基板背面からの入射光を上記入射光導入用回折格子を介して導入して上記入射口に向けて集光し、上記光出射用回折格子を介して上記尖頭型導光体に向けて出射する導光層とを備えたものであってもよい。
本発明の記録ヘッドは、上記構成を備えたものであり、対物光学系と磁気コイルとの双方が記録媒体の同一面側に配置される。また、磁気ヘッドの部分に照射された光がたとえその磁気ヘッドで遮られたとしても光ビーム全体からすれば極く一部が遮られるだけであり、十分な強度の光を極めて小さい光スポットに集光して記録媒体に照射することができる。
また、回折格子を形成することにより入射光を導光層に効率的に導入することができる。
さらに、本発明の記録ヘッドによれば、磁気コアを有する磁気ヘッドを備えることができ、空芯コイルを備えた従来技術と比べ、記録媒体に及ぼす磁界の強さを増すことができる。
また、本発明の記録ヘッド製作方法は、
磁気コア埋込部が形成された光透過性基板表面に入射光導入用回折格子と磁気コイル埋込用の溝とを形成する工程と、
上記磁気コア埋込部に磁気コアを埋め込む工程と、
上記溝に磁気コイルを形成する工程と、
上記磁気コイルが形成された後の光透過性基板表面に、その光透過性基板背面からの入射光を導入して、その磁気コイル正面に対向する集光位置に集光する導光層を形成する工程と、
上記導光層表面の、上記磁気コイル正面に対向する集光位置に、導光層によって集められた光を導光層から出射するための回折格子を形成する工程と、
上記導光層によって上記集光位置に集められた光を導入してさらに集光する、先端が尖鋭化された尖頭型導光体を形成する工程とを備えたことを特徴とする。例えばこのような製作方法により記録ヘッドを製作することができる。
さらに、本発明の情報記録装置は、光源と、その光源と記録媒体との間に配置される記録ヘッドとを備え、光による記録媒体上の発熱と磁界による磁力との双方の作用により記録媒体に情報を記録する情報記録装置において、
前記記録ヘッドが、
前記記録媒体に向けて磁界を発生する磁気ヘッドと、
前記磁気ヘッドの下流側の光路に配置され、前記磁気ヘッドの上流側から導かれた光ビームを集光して前記記録媒体に出射する導光体とを備えたことを特徴とする。
本発明の情報記録装置によれば、本発明の記録ヘッドに関し上述したとおり、光と磁界との双方の作用により高密度な記録を行なうことができる。
ここで、本発明の情報記録装置において、上記尖頭型導光体は、上記出射開口として、例えば、上記光源から出射される光の波長の１／２以下の寸法の開口を有するものである。
このような極めて微小な出射開口を形成しておきその出射開口から洩れ出る光を記録媒体に照射することによりその記録媒体上に極めて微小な径の光スポットを形成することができる。
また、上記本発明の情報記録装置において、上記記録ヘッドが搭載され、記録媒体に対し浮上するスライダを備えることが好ましい。
従来例えば磁気ディスク装置で使われているようなスライダを備える
ことにより、記録ヘッドを記録媒体に極めて近接した位置に配置し情報記録を行なうことができる。
さらに、上記本発明の情報記録装置において、上記記録ヘッドを記録媒体に対し並進させる位置制御素子を備えることが好ましい。
従来例えば光ディスク装置においてもこのような位置制御が行なわれ光ディスクの偏心等を補償しているが、本発明の情報記録装置においても同様に記録媒体との相対的な位置ずれを補償する機構を備えることが好ましい。
尚、本発明の情報記録装置は、情報の記録のみでなく、記録媒体に既に記録されている情報の読取りも行なう装置であってもよい。そのような情報記録装置として構成する場合において、記録媒体の性質等に応じ、その記録媒体に記録されている情報の読取りは光学的に行なってもよく磁気的に行なってもよい。光学的に読み取りを行なうには記録媒体に記録されている情報を光学的にピックアップする再生ヘッドが備えられる。あるいは記録媒体に記録されている情報の読取りを磁気的に行なうには、記録媒体に記録されている情報を磁気的にピックアップする再生ヘッドが備えられる。
以上のように、本発明によれば、光磁気記録方式を採用し、高密度記録が可能となり、記録媒体の記憶容量の一層の大容量化が可能となって、単位情報量あたりの記録媒体のコストを低減することができる。
また、本発明では、近接場光を使用しているため光源の短波長化は必ずしも必要ではなく、光の透過部分に例えばシリコンを使用すると、８００ｎｍ帯の半導体レーザであっても使用することができる。
発明を実施するための最良の形態
図１は、本発明の記録ヘッドの第１実施形態の構造図である。
この記録ヘッド５０Ａは、磁気ヘッド５１、カップラ層５２、導光層５３、もう１つのカップラ層５４、およびチップ５５から構成されている。
磁気ヘッド５１は本実施形態では不透明の磁気コアと磁気コイルとからなり、記録媒体１０に及ぼす磁界を発生する。この磁気ヘッド５１の、記録媒体側を向いた正面に対する背面側から、その磁気ヘッド５１の径よりも太径の光ビーム３０が照射され、この光ビーム３０は、磁気ヘッド５１により遮へいされた部分を除き、カップラ層５２を経由して導光層５３に入射する。ここで、入射光ビームのビーム径は例えば３ｍｍφであり、磁気ヘッド５１により遮へいされる部分は例えば３００μｍφ程度であり、光ビーム３０が磁気ヘッド５１で遮ぎられることによる光量損失は少ない。またアキシコン光学系を使用すれば、円環状のエネルギー分布を持った光ビームを生成できるので光をさらに無駄なく使用することができる。カップラ層５２は、例えば回折格子等から成り、導光層５３内に入射した光がその導光層５３内を磁気ヘッド５１の正面に向かって進むように、入射光を導光層５３内に導くものであり、導光層５３は、カップラ層５２を経由して入射した光を磁気ヘッド５１の正面に対向した位置に集光する。
導光層５３に導びかれて磁気ヘッド５１の正面に対向した位置に集光した光は、もう１つのカップラ層５４を経由してチップ５５に入射する。尚、ここでは、カップラ層５２と導光層５３ともう１つのカップラ層５４とをそれぞれ分けて説明したが、それらの三層を合わせた層を本発明にいう導光層と考えてもよい。このカップラ層５４は、導光層５３内を経由して集光してきた光をチップ５５に導入する役割りを担っており、例えばカップラ層５２と同様に回折格子等からなる。チップ５５は、記録媒体１０側の先端に向かって尖鋭化された尖頭型導光体であり、その周面は、先端に形成された開口５４ａの部分を除き、遮光されている。カップラ層５４を経由してチップ５５に入射した光は、さらに集光されながら、記録媒体１０側の先端に向かって進み、その先端に形成された開口５５ａから記録媒体１０に向かってその一部が出射する。ここで、このチップ先端の開口５５ａの寸法は、光ビーム３０の波長λの１／２以下、例えば５０ｎｍ程度の極めて微小なものであり、この開口５５ａからは、近接場光（Ｏｐｔｉｃａｌ  Ｎｅａｒ  Ｆｉｅｌｄ）と呼ばれる、回折限界を越える、波長λよりはるかに微細な光ビームが出射され記録媒体１０に照射される。
ここで、このチップ５５から出射される光ビームのビームサイズは微
小であるが、そのチップ５５の先端と記録媒体１０との間隔が１００ｎｍ程度を越えると記録媒体１０に到達する光ビームの強度が大幅に低下するため、記録媒体１０に光ビームを照射して情報記録を行なう際は、その間隔を１００ｎｍ程度、あるいはそれ以下に保つ必要がある。
また、この実施形態において、磁気ヘッド５１とチップ５５の先端との間はほぼ１０〜１００μｍ以内であり、この磁気ヘッド５１には磁気コアが使用されており、そのチップ５５の先端に近接して配置された記録媒体１０に十分な強度の磁界を及ぼすことができる。このように、この図１の記録ヘッドを採用すると、かつ十分な強度の極めて微小径の光ビームを記録媒体１０に照射することができ、かつその記録媒体１０に十分な強度の磁界を及ぼすことができ、高速かつ高密度な光磁気変調記録を実現することができる。
図２は、本発明の記録ヘッドの第２実施形態の構造図である。
この図２に示す記録ヘッド５０Ｂの、図１に示す記録ヘッド５０Ａとの相違点は、図２に示す記録ヘッド５０Ｂに保護遮光層５６が形成されている点である。
前述したように、この記録ヘッドはチップ５５の先端と記録媒体１０との間隔が１００ｎｍあるいはそれ以下となるように極めて近接して配置されるため、記録ヘッドが記録媒体１０に接触するおそれがあり、図１に示す構造の記録ヘッド５０Ａの場合、チップ５５の先端が記録媒体１０に接触し、チップ５５の先端が欠けたり記録媒体１０の表面に引掻き傷をつけてしまうおそれがある。この保護遮光層５６は、チップ５５の先端と同じ高さとなるように形成されており、この記録ヘッド５０Ｂが記録媒体１０に接触したときのチップ５５の先端の保護を図り、かつ接触面積を広げることにより記録媒体１０に傷が付くのを防止している。またこの保護遮光層５６は、チップ５５の先端の開口５５ａの部分を除くチップ５５の周面や、導光層５３の下面の遮光を担っており、導光層５３の下面やチップ５５の周面からの迷光の発生の防止が図られている。
図３は、本発明の記録ヘッドの第３実施形態の構造図である。
この図３に示す記録ヘッド５０Ｃの、図２に示す第２実施形態との相違点は、図３に示す記録ヘッド５０Ｃの場合、磁気ヘッド５１が透明な基板５７（例えばガラス基板等）に埋設されている点である。この基板５７の存在により、磁気ヘッド５１の位置が安定し、カップラ層５２等もより強固に一体化され、一体的なブロック形状を成す記録ヘッドが形成される。
図４は、本発明の記録ヘッドの第４実施形態の構造図である。
この記録ヘッド５０Ｄは、図２に示す記録ヘッド５０Ｂと同様に、チップ５５の先端と同じ高さに形成された保護遮光層５８を備えているが、この保護遮光層５８には、チップ５５の配置部分に穴５８ａが形成されている。これはチップ５５への影響を防止しつつ記録媒体１０に接触したときの保護を図るためである。
図５〜図７は、記録ヘッドの製作方法の一例を示す工程図である。
先ず、磁気コアを挿入するための孔６１が中央にあけてある基板６０（石英などのガラス基板等）を用意し、その表面に光の進路を定めるカップラとしての回折格子６２、および磁気コイル埋込用の微細溝６３をエッチングなどで作成する（図５（Ａ））。
次に、微細溝６３内に、中央の孔６１に磁気コア６４を埋め込む（図５（Ｂ））。このとき、この磁気コア６４の、回折格子６２等が形成された側の面は、その基板６０の表面と同一高さとなるように埋め込み高さを合わせる。
次に導電性材料（Ｎｉ，Ｃｕなど）からなる薄膜コイル６５をエッチングにより形成する（図５（Ｃ））。
ここで、磁気コア６４と薄膜コイル６５とで磁気ヘッドが構成されており、薄膜コイル６５の最外径が磁気ヘッドの径となる。
次に、ガラスなどを蒸着して導光層６６を形成し、さらに磁気コア６４に対向した部分にエッチングにより回折格子６７を形成する（図６（Ｄ））
次に、先端を尖鋭化したチップ６８を取り付ける（図６（Ｅ））。このチップ６８は、回折格子６７の部分に再度ガラスあるいはシリコンなどを蒸着しその後エッチングすることにより作成してもよい。
さらに、チップ６８の周面を覆う、チップ６８の先端と同一高さの保護遮光層６９を形成する（図７（Ｆ））。
本発明の記録ヘッドは、例えばこのような製造工程を経ることにより製造される。
図８は、記録ヘッドの製作方法の別の例を示す工程図である。
ここでは、先ず光透過性のファラデー素子からなる基板７０が用意され、エッチング等により、図８に示すような、磁気コアの部分に突出した形状の柱を形成する。その後、その柱の先端と同じ高さとなるようにガラスの基板６０を形成する。その後は、図５〜図７を参照して説明した工程と同様な工程を経て記録ヘッドが製作される。その際、光透過性の導電材料を用いて薄膜コイル６５を形成してもよい。
このようにファラデー素子を磁気コアとすることにより、図５（Ｂ）に示すような磁気コアの埋設作業が不要となり、記録ヘッドの製作が容易となる。また、ここでは、光透過性のファラデー素子７０や薄膜コイル６５を採用しているため、光の利用効率が向上する可能性もある。
図９は、本発明の情報記録装置の一実施形態の外観図である。
この情報記録装置１００には円盤状の記録媒体１０が装着され、この情報記録装置１００は、その装着された記録媒体１０を、回転軸１０１を中心に矢印Ａ方向に回転させる。また、この情報記録装置１００には、レール１０９に乗って、矢印Ｂ方向に直進自在なキャリッジ１０４が備えられている。そのキャリッジ１０４の先端にはサスペンション１１４を介在させてスライダ１１５が備えられ、そのスライダ１１５には、本発明の記録ヘッドの一例が搭載されている。
図１０は、図９に示す情報記録装置１００のキャリッジ１０４およびスライダ１１５と、その情報記録装置１００に装着された記録媒体１０を横から見て示した図である。尚、この図１０では図９と比べ、上下が逆になっている。
このキャリッジ１０４はレール１０９に乗って図１０の紙面に垂直な方向に移動自在であり、このキャリッジ１０４には、枠体１１１と、その枠体１１１の底部に固定されたレーザダイオード１１２と、枠体１１１の開口部に固定されたコリメータレンズ１１３と、このキャリッジ１０４から延びるサスペンション１１４と、そのサスペンション１１４の先端に固定されたスライダ１１５が備えられている。このスライダ１１５には、本発明の記録ヘッドの一実施形態である記録ヘッド５０と、その記録ヘッド５０に隣接して固定された磁気再生ヘッド６０が備えられている。このスライダ１１５は、記録媒体１０が回転軸１０１を中心に回転すると記録媒体１０上の空気の流れにより記録媒体１０に対しわずかに浮上する。レーザダイオード１１２から出射したレーザ光は、コリメータレンズ１１３でコリメートされて平行光束となり、記録ヘッド５０を介して記録媒体１０上に微小径の光ビームが照射され、その光ビームと磁気ヘッド５１による磁界との双方の作用により記録媒体１０に情報が記録される。この記録媒体１０は、レーザ光による補助を用いて記録を行うタイプの磁気ディスクであり、この記録媒体１０に記録された情報の再生には、ＧＭＲヘッド、スピンバルブヘッド等、磁気ディスク用の磁気再生ヘッド６０が使用される。
図１１は、情報記録装置のキャリッジ部分の他の例を示す図である。
この図１１に示す記録媒体１０は、情報の記録は光と磁気とを併用した記録方式で行なわれ、情報の再生は光学的に行なわれるタイプのものである。
この図１１に示す情報記録装置は、その記録媒体１０のタイプに適合したものであり、キャリッジ１０３の先端に固定された図１０のキャリッジ１０４およびスライダ１１５と同様の構成のヘッド部分１０４Ａには磁気再生ヘッド６０は備えられておらず、それに代わり光学的な再生を行なう再生ヘッド１０４Ｂが備えられている。
この再生ヘッド１０４Ｂはキャリッジ１０３に一端が固定されたサスペンション１１６の先端に固定されており、この再生ヘッド１０４Ｂには、対物レンズ１１７，反射ミラー１１８，ウォラストンプリズム１１９，集光レンズ１２０，および光センサ１２１が備えられている。そしてこのキャリッジ１０３は、図９に示すキャリッジ１１４と同様に、この図１１には図示しないレールを介して移動する。
レーザダイオード１１２は、再生時にも発光し、記録ヘッド５０を経由して微小ビーム径の光ビームが記録媒体１０に照射され、その記録媒体１０を透過してきた、その記録媒体１０に記録されていた情報を担持した光が、対物レンズ１１７を経由し、反射ミラー１１８で反射され、ウォラストンプリズム１１９によりその光の偏光方向に応じて分離され、集光レンズ１２０を経て光センサ１２１により受光される。この光センサ１２１で受光した信号は、図示しない回路部に送られ、記録媒体１０に記録されていた情報が再生される。尚、ここでは光ディスクと同様な再生方式を想定しており、その再生方式の詳細については省略する。
このように、本発明の記録ヘッドを採用した情報記録装置は、記録媒体から情報を再生するにあたっては、記録媒体の特性に応じ、磁性再生方式と光学的な再生方式のいずれを採用したものである。
図１２は、本発明の情報記録装置のもう１つの例を示す図、図１３はその光学系を示す図である。
この情報記録装置２００には円盤状の記録媒体１０が装着され、この情報記録装置２００は、その装着された記録媒体１０を、回転軸２０１を中心に矢印Ａ方向に回転させる。また、この情報記録装置２００には、矢印Ｃ方向に回動自在なアーム２０３が備えられている。その２０３の先端にはヘッド部２０４が備えられている。そのヘッド部２０４には、本発明の記録ヘッドの一例が搭載されている。
この図１２、図１３に示す例では、レーザダイオード２１２およびコリメータレンズ２１３はヘッド部２０４には備えられておらず、アーム２０３に固定されている。レーザダイオード２１２から出射した光は、コリメータレンズ２１３でコリメートされて平行光となり、ヘッド部２０４に入射し、そのヘッド部２０４に備えられたミラー２１７で反射し、記録ヘッド２１５が配置されたスライダユニット２１８の開口２１８ａを経由してそのユニット２１８内に入射し、本発明の記録ヘッドの一例である記録ヘッド５０を介して、記録媒体１０上に微小径の光ビームが照射され、その光ビームと、磁気ヘッド５１による磁界との双方の作用により記録媒体１０に情報が記録される。ここで、記録ヘッド５０を所定の位置に正確にトラッキングさせるために、その記録ヘッド５０をトラック中心に来るように矢印Ｄ方向に移動させるためのアクチュエータ２１９が備えられている。このアクチュエータ２１９には、記録媒体１０上の、図示しないサンプルサーボパターンなどを再生信号で検知して、トラックサーボを行なうトラックサーボ制御系により得られるサーボ信号が入力され、このアクチュエータ２１９はそのサーボ信号に応じて記録ヘッド５０を記録媒体の表面に沿った矢印Ｄ方向に微小に駆動する。トラックサーボ制御系としては、例えば光ディスクのトラックサーボの技術が使用可能であり、ここではその詳細な説明は省略する。
図１４は、図１２に示すヘッド部２０４を構成するスライダユニット２１８の部分の拡大模式図である。
ここには、アクチュエータ２１９として、一対のくし刃状電極２１９ａ，２１９ｂを備えた静電アクチュエータが示されており、その一対のくし刃状電極２１９ａ，２１９ｂのうちの一方の電極２１９ａはユニット２１８に固定され、もう一方の電極２１９ｂは、記録ヘッド５０に固定されて記録ヘッド５０とともに矢印Ｄ方向に微小にスライド自在に構成されている。ここで、一対のくし刃状電極２１９ａ，２１９ｂの間に電圧Ｖを印加すると、記録ヘッド５０に固定されたくし刃状電極２１９ｂがその電圧Ｖの極性および電圧値に応じた位置にスライドし、記録ヘッド５０もそれに応じた位置にスライドする。
このようにして、アクチュエータ２１９により記録ヘッド５０を矢印Ｄ方向に移動させてトラックサーボを行なうことにより、記録媒体上の正確な位置に情報を記録することができる。
尚、ここでは静電アクチュエータの例を示したが、静電アクチュエータに代えて例えばビエゾ素子などを用いた圧電型アクチュエータを用いてもよい。
また、ここでは、アクチュエータにより記録ヘッドを記録媒体の表面に沿う方向にスライドさせることによりトラックサーボを行なう例を示したが、記録ヘッドを記録媒体に対し垂直方向にも移動させ焦点サーボを行なってもよい。焦点サーボについても例えば光ディスクの焦点サーボ技術が使用可能であり、ここではその詳細説明は省略する。勿論、アクチュエータにより記録ヘッドを記録媒体の表面に沿う方向、あるいは垂直の方向に移動させるこの方式は、図９に示すような、レールで移動する方式に適用可能である。
【図面の簡単な説明】
図１は、本発明の記録ヘッドの第１実施形態の構造図である。
図２は、本発明の記録ヘッドの第２実施形態の構造図である。
図３は、本発明の記録ヘッドの第３実施形態の構造図である。
図４は、本発明の記録ヘッドの第４実施形態の構造図である。
図５は、記録ヘッドの製作方法の一例を示す工程図である。
図６は、記録ヘッドの製作方法の一例を示す工程図である。
図７は、記録ヘッドの製作方法の一例を示す工程図である。
図８は、記録ヘッドの製作方法の別の例を示す工程図である。
図９は、本発明の情報記録装置の一実施形態の外観図である。
図１０は、情報記録装置のヘッド部とその情報記録装置に装着された記録媒体を示した図である。
図１１は、情報記録装置のヘッド部の他の例を示す図である。
図１２は、本発明の情報記録装置のもう１つの例を示す図である。
図１３は、図１２に示す情報記録装置の光学系を示す図である。
図１４は、図１２に示すヘッド部２０４を構成するユニットの部分の拡大模式図である。
図１５は、光変調方式と磁界変調方式と併用した光磁気記録方式の従来の一例を示す模式図である。
図１６は、記録媒体上に極めて小さい光スポットを形成する技術の一例を示す模式図である。
【図１】
0004220153.tif 000002
【図２】
0004220153.tif 000003
【図３】
0004220153.tif 000004
【図４】
0004220153.tif 000005
【図５】
0004220153.tif 000006
【図６】
0004220153.tif 000007
【図７】
0004220153.tif 000008
【図８】
0004220153.tif 000009
【図９】
0004220153.tif 000010
【図１０】
0004220153.tif 000011
【図１１】
0004220153.tif 000012
【図１２】
0004220153.tif 000013
【図１３】
0004220153.tif 000014
【図１４】
0004220153.tif 000015
【図１５】
0004220153.tif 000016
【図１６】
0004220153.tif 000017